【手続補正書】
【提出日】令和3年11月11日(2021.11.11)
【手続補正１】
【補正対象書類名】特許請求の範囲
【補正対象項目名】全文
【補正方法】変更
【補正の内容】
【特許請求の範囲】
【請求項１】
上下方向に連ねた複数段の遮蔽材の各々を電動で昇降操作可能とする電動遮蔽装置であって、
前記複数段の遮蔽材が上部遮蔽材及び下部遮蔽材を有し、
前記上部遮蔽材の上限位置と前記下部遮蔽材の上限位置とを、それぞれの昇降域の範囲内で個別に可変設定可能とする上限設定手段を備えることを特徴とする電動遮蔽装置。
【請求項２】
上下方向に連ねた複数段の遮蔽材の各々を電動で昇降操作可能とする電動遮蔽装置であって、
前記複数段の遮蔽材が上部遮蔽材及び下部遮蔽材を有し、
前記上部遮蔽材の下限位置と前記下部遮蔽材の下限位置とを、それぞれの昇降域の範囲内で個別に可変設定可能とする下限設定手段を備えることを特徴とする電動遮蔽装置。
【請求項３】
上下方向に連ねた複数段の遮蔽材の各々を電動で昇降操作可能とする電動遮蔽装置であって、
前記複数段の遮蔽材が上部遮蔽材及び下部遮蔽材を有し、
前記上部遮蔽材の上下限位置と前記下部遮蔽材の上下限位置とを、それぞれの昇降域の範囲内で個別に一連の動作で可変設定可能とする上下限設定手段を備えることを特徴とする電動遮蔽装置。
【請求項４】
請求項１に記載の前記上限設定手段、又は請求項２に記載の前記下限設定手段、或いは請求項３に記載の前記上下限設定手段は、それぞれ前記上部遮蔽材及び前記下部遮蔽材における各上限位置、又は各下限位置、或いは各上下限位置の設定に関し、最初の設定コマンドの受信を経て、上昇・下降・停止の３種類のボタンを有する外部機器からの操作信号に含まれる該３種類のボタンに対応する３種類のコマンドを受け付けて手動設定するよう制御する制御手段を備えることを特徴とする、請求項１から３のいずれか一項に記載の電動遮蔽装置。
【請求項５】
前記制御手段は、前記上部遮蔽材及び前記下部遮蔽材のそれぞれの物理的な上限位置を検出する上限リミット検出手段を有し、前記上部遮蔽材及び前記下部遮蔽材のそれぞれに対する上限位置の可変設定時に、前記物理的な上限位置を示す物理上限位置から、当該手動設定により操作者の所望位置で下降した位置に上限設定するよう制御することを特徴とする、請求項１又は３を引用する請求項４に記載の電動遮蔽装置。
【請求項６】
前記制御手段は、当該手動設定により操作者の所望位置が前記物理上限位置から所定範囲内に設定される際に、前記物理上限位置から該所定範囲の位置まで下降した位置を上限設定位置とするよう制御することを特徴とする、請求項５に記載の電動遮蔽装置。
【請求項７】
前記制御手段は、前記上部遮蔽材及び前記下部遮蔽材のそれぞれの物理的な上限位置を検出する上限リミット検出手段を有し、前記上部遮蔽材及び前記下部遮蔽材のそれぞれに対する下限位置の可変設定時に、前記物理的な上限位置を示す物理上限位置から、当該手動設定により操作者の所望位置で下降した位置に下限設定するよう制御することを特徴とする、請求項２又は３を引用する請求項４に記載の電動遮蔽装置。
【請求項８】
前記制御手段は、前記上部遮蔽材及び前記下部遮蔽材のそれぞれの物理的な下限位置を検出する下限リミット検出手段を有し、当該手動設定により操作者の所望位置が前記物理的な下限位置を示す物理下限位置から所定範囲内に設定される際に、前記物理下限位置から該所定範囲の位置まで上昇した位置を下限設定位置とするよう制御することを特徴とする、請求項７に記載の電動遮蔽装置。
【請求項９】
請求項１に記載の前記上限設定手段、又は請求項２に記載の前記下限設定手段、或いは請求項３に記載の前記上下限設定手段は、それぞれ前記上部遮蔽材及び前記下部遮蔽材における各上限位置、又は各下限位置、或いは各上下限位置の設定に関し、最初の設定コマンドの受信を経て、自動設定するよう制御する制御手段を備えることを特徴とする、請求項１から３のいずれか一項に記載の電動遮蔽装置。
【請求項１０】
前記制御手段は、前記上部遮蔽材及び前記下部遮蔽材のそれぞれの物理的な上限位置を検出する上限リミット検出手段を有し、前記上部遮蔽材及び前記下部遮蔽材のそれぞれに対する上限位置の可変設定時に、前記物理的な上限位置を示す物理上限位置から、当該自動設定により所定位置で下降した位置に上限設定するよう制御することを特徴とする、請求項１又は３を引用する請求項９に記載の電動遮蔽装置。
【請求項１１】
前記制御手段は、前記上部遮蔽材及び前記下部遮蔽材のそれぞれの物理的な上限位置を検出する上限リミット検出手段を有し、前記上部遮蔽材及び前記下部遮蔽材のそれぞれに対する下限位置の可変設定時に、前記物理的な上限位置を示す物理上限位置から、当該自動設定により所定位置で下降した位置に下限設定するよう制御することを特徴とする、請求項２又は３を引用する請求項９に記載の電動遮蔽装置。
【請求項１２】
前記制御手段は、前記上部遮蔽材及び前記下部遮蔽材のそれぞれの物理的な下限位置を検出する下限リミット検出手段を有し、前記物理的な下限位置を示す物理下限位置から所定範囲の位置まで上昇した位置を下限設定位置とするよう制御することを特徴とする、請求項２又は３を引用する請求項９に記載の電動遮蔽装置。
【請求項１３】
前記上部遮蔽材及び前記下部遮蔽材の各々は、モーターの駆動で駆動軸を回転させ昇降するよう構成され、
前記制御手段は、前記上限リミット検出手段として、前記モーターの駆動に係る過電流、異常波形電流、及び異常波形電圧のうち１以上の異常検知と、前記モーター又は前記駆動軸の回転量を検知するエンコーダーからの出力の無し検知と、のうちいずれか１以上により、前記上部遮蔽材及び前記下部遮蔽材のそれぞれの物理的な上限位置を検出するよう構成されていることを特徴とする、請求項５、７、１０、１１のうちいずれか一項に記載の電動遮蔽装置。
【請求項１４】
前記上部遮蔽材及び前記下部遮蔽材の各々は、モーターの駆動で駆動軸を回転させ昇降するよう構成され、
前記制御手段は、前記下限リミット検出手段として、前記上部遮蔽材及び前記下部遮蔽材のそれぞれについて、前記モーターの駆動に係る過電流、異常波形電流、及び異常波形電圧のうち１以上の異常検知と、前記モーター又は前記駆動軸の回転量を検知するエンコーダーからの出力の無し検知と、のうちいずれか１以上により、前記上部遮蔽材及び前記下部遮蔽材のそれぞれの物理的な下限位置を検出するよう構成されていることを特徴とする、請求項８又は１２に記載の電動遮蔽装置。
【請求項１５】
前記上部遮蔽材及び前記下部遮蔽材のそれぞれに対して下降動作を妨げる障害物を検知し、前記駆動軸の回転を機械的にロックするよう作動する障害物検知装置を備えることを特徴とする、請求項１４に記載の電動遮蔽装置。
【請求項１６】
前記制御手段は、前記上部遮蔽材及び前記下部遮蔽材の各下限位置を昇降域の範囲内で微調整操作可能とするよう制御する手段を有することを特徴とする、請求項１４又は１５に記載の電動遮蔽装置。
【手続補正２】
【補正対象書類名】明細書
【補正対象項目名】００２０
【補正方法】削除
【補正の内容】
【手続補正３】
【補正対象書類名】明細書
【補正対象項目名】００３７
【補正方法】削除
【補正の内容】
【手続補正４】
【補正対象書類名】明細書
【補正対象項目名】００３８
【補正方法】削除
【補正の内容】
【手続補正５】
【補正対象書類名】明細書
【補正対象項目名】００３９
【補正方法】削除
【補正の内容】
【手続補正６】
【補正対象書類名】明細書
【補正対象項目名】００４０
【補正方法】削除
【補正の内容】